(57)【要約】【課題】軸心回りの回転を規制する切欠きが形成されたフランジ部を備える場合に、外力による傾斜が生じたとしても貫通孔から抜け難くされる車両用プラグを提供する。【解決手段】差込み部２４(差込み部２４ａ，２４ｂ)は、切欠き２８ａと軸心Ｃsとを通る直線を挟んで対向する２つの位置に形成されていると共に、貫通孔１２に係合可能な抜止め爪２５(抜止め爪２５ａ，２５ｂ)が設けられているので、プラグ２０を傾斜させ易いような切欠き２８ａとは反対側の方向の外力によってプラグ２０の傾斜が生じたときに抜止め爪２５ａ，２５ｂの引っ掛かり代が少なくなり難い。よって、軸心Ｃs回りの回転を規制する切欠き２８ａが形成されたフランジ部２８をプラグ２０が備える場合に、外力による傾斜が生じたとしても貫通孔１２から抜け難くされる。【選択図】図７
2018053975.tif 000002
【特許請求の範囲】
【請求項１】
筐体に設けられた貫通孔に一部分が差し込まれる外形が円柱状の本体部と、前記本体部の軸心回りに間隔をおいて前記本体部の一端から前記軸心と平行な方向に延びるように一体的に形成されると共に前記貫通孔に差し込まれる複数の差込み部とを備えた車両用プラグであって、
前記本体部のうちの前記貫通孔に差し込まれない他部分に一体的に形成されると共に、前記本体部に隣接した位置で前記筐体外に突出するように前記筐体に設けられた突出部材と係合することで前記本体部の前記軸心回りの回転を規制する切欠きが外周に形成された、フランジ部を更に備えており、
前記差込み部は、前記切欠きと前記軸心とを通る直線を挟んで対向する２つの位置に形成されていると共に、前記貫通孔に係合可能な抜止め爪が設けられていることを特徴とする車両用プラグ。
【請求項２】
前記差込み部は、更に、前記切欠きと前記軸心とを通る直線上で前記軸心を挟んで対向する２つの位置に形成されており、
前記軸心を挟んで対向する２つの位置に形成された前記差込み部には、前記抜止め爪が設けられていないことを特徴とする請求項１に記載の車両用プラグ。
【請求項３】
前記フランジ部は、半円よりも小さい弧を有する扇形状であって、前記弧に前記切欠きが形成されていることを特徴とする請求項１又は２に記載の車両用プラグ。
【請求項４】
前記本体部のうちの前記他部分に一体的に形成されると共に、前記筐体内の上部に設けられたブリーザ室に連通する前記本体部内の孔部と、前記筐体の外部空間とを連通する中空のホースジョイント部を更に備えたブリーザプラグであることを特徴とする請求項１から３の何れか１項に記載の車両用プラグ。
【発明の詳細な説明】
【技術分野】
【０００１】
本発明は、筐体に設けられた貫通孔に差し込まれる車両用プラグに関するものである。
【背景技術】
【０００２】
筐体に設けられた貫通孔に一部分が差し込まれる外形が円柱状の本体部と、前記本体部の軸心回りに間隔をおいて前記本体部の一端から前記軸心と平行な方向に延びるように一体的に形成されると共に前記貫通孔に差し込まれる複数の差込み部とを備えた車両用プラグが良く知られている。例えば、特許文献１に記載されたブリーザプラグがそれである。この特許文献１には、変速機ケースに設けられた貫通孔に差し込まれたブリーザプラグと、このブリーザプラグに接続されたブリーザホースと、ブリーザプラグとブリーザホースとを介して大気に連通されているブリーザ室とを備えたブリーザ装置が開示されている。ここで、車両用プラグは、貫通孔からの抜止めの為に、貫通孔に差し込まれる差込み部に抜止め爪が設けられている。このような車両用プラグの抜止めの為の構造は、種々のものが知られている。例えば、特許文献２に記載されたプラグの構造がそれである。この特許文献２には、周方向に間隔をおいて形成されると共に貫通孔に差し込まれる複数の係止腕(差込み部に相当)を備え、各係止腕の先端には抜止め鉤部(抜止め爪に相当)が各々設けられているプラグが開示されている。
【先行技術文献】
【特許文献】
【０００３】
【特許文献１】特開２００８−１８０３１３号公報
【特許文献２】特開平８−２１８８１８号公報
【発明の概要】
【発明が解決しようとする課題】
【０００４】
ところで、特許文献１に開示されたブリーザ装置のように、プラグにはホースが接続される場合がある。このような場合、ホースに外力が作用するなどしてプラグが軸心回りに回転する可能性がある。これに対して、回転防止の為の切欠きが外周に形成されたフランジ部を貫通孔に差し込まれないプラグの一部分に設け、この切欠きと、プラグに隣接した位置で筐体外に突出するように筐体に設けられた突出部材とでプラグの軸心回りの回転を規制することが考えられる。一方で、抜止め爪が設けられた差込み部の形態によっては、プラグに作用する外力に対してプラグが抜け易くなる可能性がある。特に、回転防止の為の切欠きが設けられたプラグでは、切欠きとは反対側の方向にプラグを傾斜させるような外力がプラグに作用すると、プラグが傾斜し易い為、抜止め爪の引っ掛かり代が少なくなってプラグが貫通孔から抜け易くなるおそれがある。
【０００５】
本発明は、以上の事情を背景として為されたものであり、その目的とするところは、軸心回りの回転を規制する切欠きが形成されたフランジ部を備える場合に、外力による傾斜が生じたとしても貫通孔から抜け難くされる車両用プラグを提供することにある。
【課題を解決するための手段】
【０００６】
第１の発明の要旨とするところは、(a) 筐体に設けられた貫通孔に一部分が差し込まれる外形が円柱状の本体部と、前記本体部の軸心回りに間隔をおいて前記本体部の一端から前記軸心と平行な方向に延びるように一体的に形成されると共に前記貫通孔に差し込まれる複数の差込み部とを備えた車両用プラグであって、(b) 前記本体部のうちの前記貫通孔に差し込まれない他部分に一体的に形成されると共に、前記本体部に隣接した位置で前記筐体外に突出するように前記筐体に設けられた突出部材と係合することで前記本体部の前記軸心回りの回転を規制する切欠きが外周に形成された、フランジ部を更に備えており、(c) 前記差込み部は、前記切欠きと前記軸心とを通る直線を挟んで対向する２つの位置に形成されていると共に、前記貫通孔に係合可能な抜止め爪が設けられていることにある。
【０００７】
また、第２の発明は、前記第１の発明に記載の車両用プラグにおいて、前記差込み部は、更に、前記切欠きと前記軸心とを通る直線上で前記軸心を挟んで対向する２つの位置に形成されており、前記軸心を挟んで対向する２つの位置に形成された前記差込み部には、前記抜止め爪が設けられていないことにある。
【０００８】
また、第３の発明は、前記第１の発明又は第２の発明に記載の車両用プラグにおいて、前記フランジ部は、半円よりも小さい弧を有する扇形状であって、前記弧に前記切欠きが形成されていることにある。
【０００９】
また、第４の発明は、前記第１の発明から第３の発明の何れか１つに記載の車両用プラグにおいて、前記本体部のうちの前記他部分に一体的に形成されると共に、前記筐体内の上部に設けられたブリーザ室に連通する前記本体部内の孔部と、前記筐体の外部空間とを連通する中空のホースジョイント部を更に備えたブリーザプラグである。
【発明の効果】
【００１０】
前記第１の発明によれば、差込み部は、切欠きと軸心とを通る直線を挟んで対向する２つの位置に形成されていると共に、貫通孔に係合可能な抜止め爪が設けられているので、車両用プラグを傾斜させ易いような切欠きとは反対側の方向の外力によって車両用プラグの傾斜が生じたときに抜止め爪の引っ掛かり代が少なくなり難い。つまり、外力による車両用プラグの傾斜が生じたときに抜止め爪の引っ掛かり代が少なくならない位置にその抜止め爪を設けることで、車両用プラグの抜けが抑制される。よって、軸心回りの回転を規制する切欠きが形成されたフランジ部を車両用プラグが備える場合に、外力による傾斜が生じたとしても貫通孔から抜け難くされる。
【００１１】
また、前記第２の発明によれば、差込み部は、更に、切欠きと軸心とを通る直線上で軸心を挟んで対向する２つの位置に形成されているので、車両用プラグを貫通孔に差し込む際に、真っ直ぐに差し込み易い。又、軸心を挟んで対向する２つの位置に形成された差込み部には、抜止め爪が設けられていないので、車両用プラグを貫通孔に差し込み易い。つまり、外力による車両用プラグの傾斜が生じたときに抜止め爪の引っ掛かり代が少なくならない位置のみにその抜止め爪を設けることで、車両用プラグの抜けの抑制と差込みの容易性とを両立することができる。
【００１２】
また、前記第３の発明によれば、フランジ部は、切欠きが形成された弧が半円よりも小さい弧である扇形状をしているので、プラグを傾斜させ易いような切欠きとは反対側の方向の外力によって車両用プラグの傾斜が生じたときに抜止め爪の引っ掛かり代が少なくならない位置にその抜止め爪を設けることが有用となる。
【００１３】
また、前記第４の発明によれば、車両用プラグは、ホースジョイント部を備えたブリーザプラグであるので、ホースに外力が作用することなどによって生じる可能性がある軸心回りの回転を規制する切欠きが形成されたフランジ部をブリーザプラグが備える場合に、外力による傾斜が生じたとしても貫通孔から抜け難くされる。
【図面の簡単な説明】
【００１４】
【図１】本発明が適用される車両用プラグが取り付けられた筐体の概略を示す外観図である。
【図２】車両用プラグの概略を示す外観図である。
【図３】図２に示した車両用プラグのＡ視外観図である。
【図４】図２に示した車両用プラグのＢ視外観図である。
【図５】図２に示した車両用プラグのＣ視外観図である。
【図６】図３に示したＡ視外観図のＤ−Ｄ断面図である。
【図７】車両用プラグが筐体に取り付けられた状態を、図２に示した外観図、図４に示したＢ視外観図、図５に示したＣ視外観図と共に示す図である。
【発明を実施するための形態】
【００１５】
以下、本発明の実施例を図面を参照して詳細に説明する。
【実施例】
【００１６】
図１は、本発明が適用される車両用プラグ２０(以下、プラグ２０という)が取り付けられた(図１中の一点鎖線での丸囲み部参照)、筐体１０の概略を示す外観図である。図２は、プラグ２０の概略を示す外観図である。図３は、図２に示したプラグ２０のＡ視外観図である。図４は、図２に示したプラグ２０のＢ視外観図である。図５は、図２に示したプラグ２０のＣ視外観図である。図６は、図３に示したＡ視外観図のＤ−Ｄ断面図である。図７は、プラグ２０が筐体１０に取り付けられた状態を、図２に示した外観図、図４に示したＢ視外観図、図５に示したＣ視外観図と共に示す図である。
【００１７】
図１−図７において、筐体１０は、例えばエンジン(及び／又は回転機)等の駆動力源と駆動輪との間の動力伝達経路に設けられた動力伝達装置を収容するケース(より具体的には変速機ケース)である。プラグ２０は、例えば筐体１０の上面に設けられた貫通孔１２(図７参照)に取り付けられており、筐体１０内の圧力を調整して油漏れを防ぐ為の公知のブリーザプラグである。又、プラグ２０は、例えば樹脂製のプラグである。
【００１８】
筐体１０は、内部の上部(車両上方)に設けられたブリーザ室１４(図７参照)を備えている。ブリーザ室１４は、プラグ２０を介して筐体１０の外部空間と連通させられる。ブリーザ室１４には、例えば筐体１０の内部に配置された動力伝達装置の回転部材によって掻き揚げられた油(例えばオイルミスト)が流入する。ブリーザ室１４は、例えばオイルミストが空気と共に筐体１０の外部空間に吹き出さないように、プラグ２０近傍の筐体１０内の上部空間において、複数の隔壁としてのリブ(不図示)によって迷路状に通路が設けられた構造(すなわちラビリンス構造)とされている。つまり、ブリーザ室１４において、ブリーザ室入口から侵入(流入)した油が貫通孔１２(ここではプラグ２０も同意)に到達するには迷路状の通路を通過する必要があり、油が貫通孔１２に到達するまでの間に、油自身の粘度や表面張力によって通路中のどこかの空間内で集積される。従って、筐体１０内の油が筐体１０の外部に排出される所謂ブリーザ吹きが好適に防止される。
【００１９】
プラグ２０は、貫通孔１２に差し込まれる一部分２２ａと貫通孔１２に差し込まれない他部分２２ｂとが一体的に形成された(すなわち貫通孔１２に一部分２２ａが差し込まれる)、外形が円柱状の本体部２２と、本体部２２の軸心Ｃs回りに所定の間隔をおいて本体部２２の一端(一部分２２ａにおける他部分２２ｂとは反対側の端部)から軸心Ｃsと平行な方向に延びるように一部分２２ａと一体的に形成されると共に貫通孔１２に差し込まれる複数の差込み部２４とを備えている。本体部２２のうちの他部分２２ｂは、軸心Ｃsに垂直な断面が円形である貫通孔１２と比べて、軸心Ｃsに垂直な断面の半径が大きくされている。プラグ２０は、差込み部２４として、差込み部２４ａ、差込み部２４ｂ、差込み部２４ｃ、及び差込み部２４ｄの４つの差込み部を備えている。これにより、プラグ２０を貫通孔１２に差し込む際に、真っ直ぐに差し込み易い。本体部２２のうちの一部分２２ａの外周部には、環状のシール部材３０(図７参照)が嵌め入れられる溝部２２ｃが形成されている。本体部２２内には、ブリーザ室１４に連通する孔部２２ｄ(図６参照)が形成されている。従って、本体部２２は、略円筒形状をしている。尚、軸心Ｃsは、本体部２２を円柱とみた場合の軸(回転軸)に相当する。
【００２０】
プラグ２０は、本体部２２のうちの他部分２２ｂに一体的に形成された中空のホースジョイント部２６を更に備えている。ホースジョイント部２６内には、一端側で本体部２２内の孔部２２ｄと連通すると共に他端側で筐体１０の外部空間と連通するジョイント孔部２６ａが形成されている。従って、ホースジョイント部２６は、本体部２２内の孔部２２ｄと、筐体１０の外部空間とを連通する。ホースジョイント部２６には、例えばブリーザホース(不図示)が取り付けられる。ブリーザホースは、筐体１０の周囲の外部空間に配置され、ホースジョイント部２６に取り付けられる一端とは反対の他端が筐体１０の外部空間に開放されている。ブリーザホースは、例えばその他端から水や異物等が筐体１０内に侵入しないように、ホースジョイント部２６から上方へ向けて延ばされ、更に、他端が下方へ向けて開放されている。
【００２１】
プラグ２０は、本体部２２のうちの他部分２２ｂに一体的に形成されたフランジ部２８を更に備えている。フランジ部２８には、本体部２２(他部分２２ｂ)に隣接した位置で筐体１０外に突出するように筐体１０に設けられた突出部材１６(図７参照)と係合することで、本体部２２の軸心Ｃs回りの回転を規制する切欠き２８ａが外周に形成されている。フランジ部２８は、半円よりも小さい弧を有する扇形状をしている(すなわち半円よりも小さい円弧である劣弧をとった扇形状をしている)。フランジ部２８は、前記扇形状の弧に切欠き２８ａが形成されている。このような切欠き２８ａが形成されたフランジ部２８を備えることは、ブリーザホースに外力が作用するなどしてプラグ２０が軸心Ｃs回りに回転する可能性があるような、ブリーザホースが接続されるプラグ２０に有用である。
【００２２】
ここで、プラグ２０は、貫通孔１２からの抜止めの為に、貫通孔１２に差し込まれる差込み部２４に抜止め爪２５が設けられている。つまり、差込み部２４は、貫通孔１２に係合可能な抜止め爪２５が設けられている。この抜止め爪２５について、以下に詳述する。
【００２３】
回転防止の為の切欠き２８ａが設けられたプラグ２０では、切欠き２８ａとは反対側の方向にプラグ２０を傾斜させるような外力(図７の白抜き矢印参照)がプラグ２０に作用すると、切欠き２８ａが突出部材１６に引っ掛かり難いので、プラグ２０が傾斜し易い。その為、プラグ２０に回転防止の為の切欠き２８ａがある場合、図７の白抜き矢印に示す方向への外力に対して、プラグ２０が貫通孔１２から最も抜け易くなる。
【００２４】
これに対して、抜止め爪２５が設けられている差込み部２４は、切欠き２８ａ(例えば切欠き２８ａの中央又は切欠き２８ａの中央近傍)と軸心Ｃsとを通る直線を挟んで対向する２つの位置に形成されている。
【００２５】
具体的には、差込み部２４ａ，２４ｂは、切欠き２８ａと軸心Ｃsとを通る直線を挟んで対向する２つの位置に形成されていると共に、抜止め爪２５ａ，２５ｂが設けられている。
【００２６】
プラグ２０に回転防止の為の切欠き２８ａが設けられた場合、図７の白抜き矢印に示す方向への外力に対して、抜止め爪２５を差込み部２４ａ，２４ｂが形成された位置(図７中の一点鎖線での丸囲みａ，ｂ参照)に設けることで、常に抜止め爪２５が貫通孔１２に引っ掛かる為、プラグ２０が抜け難くされる。プラグ２０の抜止め爪２５を２個しか設けない場合では、図７中の一点鎖線での丸囲みａ，ｂのような位置に抜止め爪２５を設けることが有用である。又、プラグ２０の抜止め爪２５を２個しか設けない場合、差込み部２４の何れにも抜止め爪２５を設ける場合と比べて、プラグ２０を貫通孔１２に差し込み易い。
【００２７】
一方で、差込み部２４ｃ，２４ｄは、切欠き２８ａと軸心Ｃsとを通る直線上で軸心Ｃsを挟んで対向する２つの位置に形成されており、その差込み部２４ｃ，２４ｄには、抜止め爪２５が設けられていない。仮に、差込み部２４ｃ，２４ｄが形成された位置(すなわち図７中の一点鎖線での丸囲みｃ，ｄのような位置)のみに抜止め爪２５を２個設けた場合では、図７の白抜き矢印に示す方向へ外力が働くと、てこの原理で差込み部２４ｄの設けられた抜止め爪２５が貫通孔１２から離れる方向に動く為、プラグ２０が抜け易くされる。
【００２８】
上述のように、本実施例によれば、差込み部２４(差込み部２４ａ，２４ｂ)は、切欠き２８ａと軸心Ｃsとを通る直線を挟んで対向する２つの位置に形成されていると共に、貫通孔１２に係合可能な抜止め爪２５(抜止め爪２５ａ，２５ｂ)が設けられているので、プラグ２０を傾斜させ易いような切欠き２８ａとは反対側の方向の外力によってプラグ２０の傾斜が生じたときに抜止め爪２５ａ，２５ｂの引っ掛かり代が少なくなり難い。つまり、外力によるプラグ２０の傾斜が生じたときに抜止め爪２５の引っ掛かり代が少なくならない位置に抜止め爪２５を設けることで、プラグ２０の抜けが抑制される。よって、軸心Ｃs回りの回転を規制する切欠き２８ａが形成されたフランジ部２８をプラグ２０が備える場合に、外力による傾斜が生じたとしても貫通孔１２から抜け難くされる。
【００２９】
また、本実施例によれば、差込み部２４ｃ，２４ｄは、切欠き２８ａと軸心Ｃsとを通る直線上で軸心Ｃsを挟んで対向する２つの位置に形成されているので、プラグ２０を貫通孔１２に差し込む際に、真っ直ぐに差し込み易い。又、軸心Ｃsを挟んで対向する２つの位置に形成された差込み部２４ｃ，２４ｄには、抜止め爪２５が設けられていないので、プラグ２０を貫通孔１２に差し込み易い。つまり、外力によるプラグ２０の傾斜が生じたときに抜止め爪２５の引っ掛かり代が少なくならない位置のみに抜止め爪２５を設けることで、プラグ２０の抜けの抑制と差込みの容易性とを両立することができる。
【００３０】
また、本実施例によれば、フランジ部２８は、切欠き２８ａが形成された弧が半円よりも小さい弧である扇形状をしているので、プラグ２０を傾斜させ易いような切欠き２８ａとは反対側の方向の外力によってプラグ２０の傾斜が生じたときに抜止め爪２５の引っ掛かり代が少なくならない位置に抜止め爪２５を設けることが有用となる。
【００３１】
また、本実施例によれば、プラグ２０は、ホースジョイント部２６を備えたブリーザプラグであるので、ブリーザホースに外力が作用することなどによって生じる可能性がある軸心Ｃs回りの回転を規制する切欠き２８ａが形成されたフランジ部２８をブリーザプラグが備える場合に、外力による傾斜が生じたとしても貫通孔１２から抜け難くされる。
【００３２】
以上、本発明の実施例を図面に基づいて詳細に説明したが、本発明はその他の態様においても適用される。
【００３３】
例えば、前述の実施例では、プラグ２０は、差込み部２４として、差込み部２４ａ、差込み部２４ｂ、差込み部２４ｃ、及び差込み部２４ｄの４つの差込み部を備えていたが、この態様に限らない。例えば、プラグ２０は、差込み部２４として、切欠き２８ａと軸心Ｃsとを通る直線を挟んで対向する２つの位置に形成されていると共に抜止め爪２５ａ，２５ｂが設けられた差込み部２４ａ，２４ｂを少なくとも備えておれば良い。つまり、プラグ２０は、切欠き２８ａと軸心Ｃsとを通る直線を挟んで対向する２つの位置に、抜止め爪２５が設けられている差込み部２４が少なくとも形成されておれば良い。
【００３４】
また、前述の実施例において、筐体１０に収容される動力伝達装置は、例えば遊星歯車式の自動変速機、同期噛合型平行２軸式変速機、ＤＣＴ(Dual Clutch Transmission)、又は無段変速機などで構成される車両用変速機、その車両用変速機に連結されるディファレンシャルギヤ等である。
【００３５】
また、前述の実施例では、筐体１０として動力伝達装置を収容する変速機ケースを例示し、又、プラグ２０としてホースジョイント部２６を備えたブリーザプラグを例示して本発明を説明した。本発明は、筐体１０やプラグ２０のような実施態様に限らず適用することができる。例えば、本発明は、ホースジョイント部２６を備えないブリーザプラグにも適用することができる。又は、本発明は、車両を構成する部材等を収容する筐体、又は、エンジンの一部の機構等を収容する、本体とカバーとに分割された筐体、このような筐体の貫通孔を単に埋める栓としてその貫通孔に差し込まれる車両用プラグにも適用することができる。又は、本発明は、単にホースジョイントとして筐体の貫通孔に差し込まれる車両用プラグにも適用することができる。
【００３６】
尚、上述したのはあくまでも一実施形態であり、本発明は当業者の知識に基づいて種々の変更、改良を加えた態様で実施することができる。
【符号の説明】
【００３７】
１０：筐体
１２：貫通孔
１４：ブリーザ室
１６：突出部材
２０：車両用プラグ(ブリーザプラグ)
２２：本体部
２２ａ：一部分
２２ｂ：他部分
２２ｄ：孔部
２４(２４ａ，２４ｂ，２４ｃ，２４ｄ)：差込み部
２５(２５ａ，２５ｂ)：抜止め爪
２６：ホースジョイント部
２８：フランジ部
２８ａ：切欠き
Ｃs：軸心
【図１】
2018053975.tif 000003
【図２】
2018053975.tif 000004
【図３】
2018053975.tif 000005
【図４】
2018053975.tif 000006
【図５】
2018053975.tif 000007
【図６】
2018053975.tif 000008
【図７】
2018053975.tif 000009